(57)【特許請求の範囲】
【請求項１】
支持軸を中心として回転自在に設けられるシーブと、
該シーブの外周面を覆うように設けられる保護カバーと
を備えた滑車において、
前記保護カバーは、前記シーブの外周面を覆う閉位置と、前記シーブの外周面を部分的に露出させる開位置との間で切換自在となるよう可動式に配置され、
前記シーブは、
ロープ溝が外周部に形成されたシーブ本体と、
該シーブ本体のロープ溝に着脱自在に取り付けられる溝保護部材と、
該溝保護部材を該シーブ本体に固定する締結部材と
を備え、
前記保護カバーは、
固定カバー部と可動カバー部とに分割形成され、
該可動カバー部の一端が開閉部材によって前記固定カバー部に開閉自在となるよう取り付けられ、前記可動カバー部の他端が前記閉位置でロック部材によって固定され、
前記保護カバーを固定カバー部と可動カバー部とに分割形成する位置は、前記可動カバー部の長さが少なくとも前記溝保護部材より長く設定される位置とした滑車。
【請求項２】
請求項１記載の滑車を備えたデッキクレーン。
【発明の詳細な説明】
【技術分野】
【０００１】
本発明は、滑車及び該滑車を備えたデッキクレーンに関するものである。
【背景技術】
【０００２】
一般に、コンテナ船やバラ物運搬船等の貨物船に配備されるデッキクレーンの場合、ドラムから巻き出されてシーブに掛け回されるワイヤロープにより吊荷を吊り上げ下げするようになっている。
【０００３】
前記シーブには非常に大きな荷重が作用するため、強度の高い金属製のシーブが広く採用されている。
【０００４】
一方、前記シーブに掛け回されるワイヤロープは、前記シーブのロープ溝との間で摩擦が生じるため、長期の使用によって損耗する。そこで、ワイヤロープの長寿命化を図るべく、シーブ本体を樹脂で構成したシーブが近年提案されている。こうした樹脂製のシーブは、金属製のシーブに比べて軟らかく且つ大きな弾性を有していることから、ワイヤロープの曲げ応力が小さくなる。又、ワイヤロープが樹脂を圧縮してロープ溝に深く食い込み、該ロープ溝とワイヤロープとの接触面積が大きくなって接触面圧が小さくなることにより、ワイヤロープの損耗が抑制され、ワイヤロープの長寿命化を図ることが可能となる。
【０００５】
樹脂製のシーブは金属製のシーブに比べて、ワイヤロープの長寿命化を図ることが可能となる反面、製造コストが高くなることが避けられなかった。又、樹脂製のシーブは、そのロープ溝にワイヤロープによる索条痕が付きやすいため、シーブが劣化しているという印象を作業者に与えやすかった。このため、シーブが耐用年数に達していないにも拘わらずシーブの交換が要求され、結果的にシーブの使用年数が短縮されてしまう可能性があった。
【０００６】
前記シーブの交換作業が頻繁に要求されると、新たに高価なシーブをデッキクレーンに取り付けざるを得なくなるため、更にコス卜が嵩んでしまうことが懸念されていた。又、シーブを交換する際には、交換前のシーブからワイヤロープを取り外す作業と、交換後のシーブにワイヤロープを掛け回す作業とが必要で、いずれも高所での非常に煩雑な作業となり、作業効率が低下する要因となっていた。
【０００７】
前述のような問題を解決するために、金属製のシーブ本体のロープ溝に、樹脂製の溝保護部材を着脱自在に取り付け、ワイヤロープの長寿命化を図りつつ、コス卜の上昇並びに作業効率の低下を抑制できるようにしたシーブが提案されている（例えば、特許文献１参照）。
【０００８】
ところで、前記シーブは、例えば、フックブロックのような滑車として使用される場合、フックブロックを構成するブロック本体に対し支持軸を中心として回転自在に取り付けられるようになっており、前記ブロック本体には、前記シーブの外周面を覆うように保護カバーが取り付けられている。
【０００９】
尚、前記フックブロックのような滑車と関連する一般的技術水準を示すものとしては、例えば、特許文献２がある。
【先行技術文献】
【特許文献】
【００１０】
【特許文献１】国際公開第２０１４／０６５１８３号
【特許文献２】特開２０１４−１８９４０２号公報
【発明の概要】
【発明が解決しようとする課題】
【００１１】
しかしながら、前述の如く、シーブの外周面を覆うように保護カバーが取り付けられている滑車の場合、シーブはブロック本体及び保護カバーによって閉塞された空間に配置されているため、例えば、前記溝保護部材の交換作業等を含むシーブのメンテナンスを行う際には、滑車を分解しなければならなかった。
【００１２】
一般に、前記シーブを覆うブロック本体は、強度を保持し且つシーブを保護する必要があるため、鋼板製であって重量が非常に重く、メンテナンス時に滑車を分解する場合に作業者が人力でブロック本体を支えることは困難である。従って、滑車を分解するためには、ブロック本体を吊り上げて支持するためのクレーン或いはチェーンブロック等の設備が不可欠となり、メンテナンス作業が容易ではなく、多大な労力と時間を要していた。
【００１３】
本発明は、上記従来の問題点に鑑みてなしたもので、シーブのメンテナンス時における作業性向上を図ることができる滑車及び該滑車を備えたデッキクレーンを提供しようとするものである。
【課題を解決するための手段】
【００１４】
本発明は、支持軸を中心として回転自在に設けられるシーブと、
該シーブの外周面を覆うように設けられる保護カバーと
を備えた滑車において、
前記保護カバーは、前記シーブの外周面を覆う閉位置と、前記シーブの外周面を部分的に露出させる開位置との間で切換自在となるよう可動式に配置され、
前記シーブは、
ロープ溝が外周部に形成されたシーブ本体と、
該シーブ本体のロープ溝に着脱自在に取り付けられる溝保護部材と、
該溝保護部材を該シーブ本体に固定する締結部材と
を備え、
前記保護カバーは、
固定カバー部と可動カバー部とに分割形成され、
該可動カバー部の一端が開閉部材によって前記固定カバー部に開閉自在となるよう取り付けられ、前記可動カバー部の他端が前記閉位置でロック部材によって固定され、
前記保護カバーを固定カバー部と可動カバー部とに分割形成する位置は、前記可動カバー部の長さが少なくとも前記溝保護部材より長く設定される位置とした滑車にかかるものである。
【００１７】
又、上記課題を解決するために、本発明のデッキクレーンは、前記滑車を備える。
【発明の効果】
【００１８】
本発明の滑車及び該滑車を備えたデッキクレーンによれば、シーブのメンテナンス時における作業性向上を図ることができるという優れた効果を奏し得る。
【図面の簡単な説明】
【００１９】
【図１】本発明の滑車の実施例における保護カバーを閉位置に保持した状態を示す正面図である。
【図２】本発明の滑車の実施例における保護カバーを閉位置に保持した状態を示す側面図である。
【図３】本発明の滑車の実施例における保護カバーを開位置に展開させた状態を示す正面図である。
【図４】本発明の滑車の実施例における保護カバーを開位置に展開させた状態を示す斜視図である。
【図５】本発明の滑車の実施例におけるシーブを示す概要構成図であって、（ａ）は断面図、（ｂ）は側面図である。
【図６】本発明の滑車を備えたデッキクレーンの実施例を示す全体概要側面図である。
【発明を実施するための形態】
【００２０】
以下、本発明の実施の形態を添付図面を参照して説明する。
【００２１】
図１〜図６は本発明の滑車及び該滑車を備えたデッキクレーンの実施例である。
【００２２】
先ず、図６を用いてデッキクレーン１の概要を説明する。デッキクレーン１は、船舶としての貨物船ＳＰの甲板Ｄに設置される支持台２と、該支持台２上に旋回自在に配置される旋回マスト３と、該旋回マスト３に設けられる運転室４と、前記旋回マスト３の下部に支点ピン５を介して俯仰自在に取り付けられたジブ６とを備えている。
【００２３】
前記デッキクレーン１の旋回マスト３の内部には巻上ドラム７が配置され、該巻上ドラム７からワイヤロープ８が繰り出され、該ワイヤロープ８により、ジブ６の先端から滑車としてのフックブロック９を介して吊荷Ｃを吊り下げるようになっている。前記巻上ドラム７によってワイヤロープ８を巻き取ると、前記吊荷Ｃが上昇し、前記巻上ドラム７によってワイヤロープ８を繰り出すと、前記吊荷Ｃが下降するようになっている。
【００２４】
又、前記デッキクレーン１の旋回マスト３の内部には、俯仰ドラム１０が配置され、該俯仰ドラム１０から繰り出されるワイヤロープ１１が前記ジブ６の先端部もしくは旋回マスト３の頂部に根止めされている。前記俯仰ドラム１０によってワイヤロープ１１を巻き取ると、前記ジブ６が起立する方向へ駆動され、前記俯仰ドラム１０によってワイヤロープ１１を繰り出すと、前記ジブ６が倒伏する方向へ駆動されるようになっている。
【００２５】
前記ワイヤロープ８及びワイヤロープ１１は、前記旋回マスト３の上部並びにジブ６の先端部に配設されたシーブ２０に掛け回されている。更に、前記ジブ６の先端部から垂下されるワイヤロープ８は、前記フックブロック９のシーブ２０に掛け回されている。
【００２６】
前記滑車としてのフックブロック９は、図１〜図４に示す如く、ブロック本体３０と、シーブ２０と、保護カバー４０と、フック５０とを備えている。前記ブロック本体３０は、前記シーブ２０を両面側から挟み付けるように二枚の鋼板製のブロック板３０ａが所要間隔をあけて配設され、該二枚のブロック板３０ａがボルト３１ａ・ナット３１ｂ及び管状スペーサ３１ｃからなる連結部材３１によって連結固定される構造を有している。前記シーブ２０は、前記ブロック本体３０に対し支持軸３２を中心として回転自在に取り付けられている。前記保護カバー４０は、前記シーブ２０の外周面における前記ワイヤロープ８が掛け回される下半分の部分を覆うよう前記ブロック本体３０に取り付けられ、弛みによるワイヤロープ８のシーブ２０からの脱落を防止すると共に、支持軸３２の部分からのグリースの滴下を防止するようになっている。前記フック５０は、前記ブロック本体３０の下部に取り付けられた支持ピン３３からシャックル５１を介して吊り下げられている。
【００２７】
そして、本実施例の場合、前記保護カバー４０を、前記シーブ２０の外周面を覆う閉位置（図１及び図２参照）と、前記シーブ２０の外周面を部分的に露出させる開位置（図３及び図４参照）との間で切換自在となるよう可動式に配置した点を特徴としている。尚、前記保護カバー４０は、前記シーブ２０の外周面における下半分の部分を覆うよう前記ブロック本体３０に取り付けられる形式に限定されるものではなく、前記ワイヤロープ８の掛け回し方に応じて、前記シーブ２０の外周面における下半分以外の部分を覆うものにも適用可能なことは言うまでもない。
【００２８】
前記保護カバー４０は、固定カバー部４０Ａと可動カバー部４０Ｂとに分割形成され、該可動カバー部４０Ｂの一端が開閉部材としての蝶番４１によって前記固定カバー部４０Ａに開閉自在となるよう取り付けられ、前記可動カバー部４０Ｂの他端が前記閉位置でロック部材４２によって前記ブロック本体３０に固定されるようにしてある。
【００２９】
前記可動カバー部４０Ｂの他端には、図４に示す如く、前記支持軸３２と平行に延びるスリーブ４３が一体に固着され、前記ブロック本体３０のブロック板３０ａの対応箇所に穿設された固定孔３４と前記スリーブ４３とに対し、図２に示す如く、前記ロック部材４２を構成するボルト４２ａを貫通させてナット４２ｂを締め付けることにより、前記可動カバー部４０Ｂを閉位置に固定するようにしてある。
【００３０】
一方、本実施例の場合、前記シーブ２０は、図５（ａ）及び図５（ｂ）に示す如く、シーブ本体２１を備え、該シーブ本体２１の外周部にはロープ溝２２が形成されている。該シーブ本体２１のロープ溝２２には、溝保護部材２３が締結部材２４によって着脱自在に取り付けられている。前記シーブ本体２１は、前記支持軸３２に嵌装されるボス部２１ａと、前記ロープ溝２２が形成されるリム部２１ｂとを、半径方向へ延びるスポーク部２１ｃによって連結してなる構成を有している。
尚、前記保護カバー４０を固定カバー部４０Ａと可動カバー部４０Ｂとに分割形成する位置に関しては、前記可動カバー部４０Ｂの長さが少なくとも前記溝保護部材２３より長く設定される位置とすれば良い。
【００３１】
次に、上記実施例の作用を説明する。
【００３２】
例えば、前記溝保護部材２３の交換作業を行う際には、図１及び図２に示す状態から、ナット４２ｂを緩めてボルト４２ａを抜き取る。
【００３３】
続いて、保護カバー４０の可動カバー部４０Ｂを閉位置から蝶番４１を支点として、図３及び図４に示す如く、開位置へ回動させる。
【００３４】
前記保護カバー４０の可動カバー部４０Ｂを開位置へ回動させると、ワイヤロープ８をシーブ２０から引き離して、該シーブ２０の外周面を部分的に露出させることが可能となる。
【００３５】
前記シーブ２０の外周面を部分的に露出させると、図５に示す締結部材２４を緩めて溝保護部材２３を取り外し、新しいものと交換することが可能となる。
【００３６】
前記シーブ２０の外周面を覆うように保護カバー４０が取り付けられている滑車としてのフックブロック９の場合、シーブ２０はブロック本体３０及び保護カバー４０によって閉塞された空間に配置されているが、前述の如く、保護カバー４０の可動カバー部４０Ｂを開位置へ回動させることにより、前記溝保護部材２３の交換作業等を含むシーブ２０のメンテナンスを行う際にも、滑車としてのフックブロック９を分解しなくて済む。
【００３７】
この結果、メンテナンスを行う際には、強度を保持し且つシーブ２０を保護するために鋼板製であって重量が非常に重いブロック本体３０を吊り上げて支持するためのクレーン或いはチェーンブロック等の設備が不要となり、メンテナンス作業が容易に行えるようになって、多大な労力と時間を浪費しなくて済む。
【００３８】
又、特許文献２に開示された滑車としてのフックブロックの場合、カバー部材は、クレーンのブーム先端に備えられる継ぎ足しジブの基端側脚部等との干渉を回避するためのものであって、ワイヤロープの掛け替え作業時には完全に取り外されるものである。このため、前記カバー部材は、紛失したり、或いはワイヤロープの掛け替え作業完了後に付け忘れたりする虞がある。これに対し、本実施例のように、前記保護カバー４０を、前記シーブ２０の外周面を覆う閉位置（図１及び図２参照）と、前記シーブ２０の外周面を部分的に露出させる開位置（図３及び図４参照）との間で切換自在となるよう可動式に配置すれば、保護カバー４０を紛失したり、或いはシーブ２０のメンテナンス作業完了後に保護カバー４０を付け忘れたりする心配もない。
【００３９】
こうして、シーブ２０のメンテナンス時における作業性向上を図ることができる。
【００４０】
そして、前記シーブ２０は、ロープ溝２２が外周部に形成されたシーブ本体２１と、該シーブ本体２１のロープ溝２２に着脱自在に取り付けられる溝保護部材２３と、該溝保護部材２３を該シーブ本体２１に固定する締結部材２４とを備えている。このようなシーブ２０の場合、溝保護部材２３の交換作業が必要となるため、滑車としてのフックブロック９を分解しなくて済むことは作業効率を高める上でより有効となる。
【００４１】
又、前記保護カバー４０は、固定カバー部４０Ａと可動カバー部４０Ｂとに分割形成され、該可動カバー部４０Ｂの一端が開閉部材としての蝶番４１によって前記固定カバー部４０Ａに開閉自在となるよう取り付けられ、前記可動カバー部４０Ｂの他端が前記閉位置でロック部材４２によって固定される。これにより、前記可動カバー部４０Ｂは、前記固定カバー部４０Ａから完全に切り離されることがないため、可動カバー部４０Ｂの紛失やシーブ２０のメンテナンス作業完了後の可動カバー部４０Ｂの付け忘れを防止できる。
【００４２】
更に、前記滑車としてのフックブロック９を備えたデッキクレーン１では、海洋に面する厳しい腐食環境のもと、シーブ２０のメンテナンス作業を効率良く行って、荷役作業を円滑に進めることができる。
【００４３】
尚、本発明の滑車及び該滑車を備えたデッキクレーンは、上述の実施例にのみ限定されるものではなく、デッキクレーンに限らず、種々のクレーン装置や他の機械装置に広く適用可能なこと等、その他、本発明の要旨を逸脱しない範囲内において種々変更を加え得ることは勿論である。
【符号の説明】
【００４４】
１        デッキクレーン
９        フックブロック（滑車）
２０        シーブ
２１        シーブ本体
２２        ロープ溝
２３        溝保護部材
２４        締結部材
３２        支持軸
４０        保護カバー
４０Ａ      固定カバー部
４０Ｂ      可動カバー部
４１        蝶番（開閉部材）
４２        ロック部材
【図１】
0006571479.tif 000002
【図２】
0006571479.tif 000003
【図３】
0006571479.tif 000004
【図４】
0006571479.tif 000005
【図５】
0006571479.tif 000006
【図６】
0006571479.tif 000007